(57)【特許請求の範囲】
【請求項１】
給水通路から供給される水を加熱して給湯通路へ送出する給湯熱交換器と、浴槽湯水の追い焚き循環通路に組み込まれ追い焚き循環通路を循環する循環湯水の追い焚きを行う追い焚き熱交換器と、浴槽から追い焚き熱交換器に至るまでの循環湯水の戻り側の追い焚き循環通路又は該戻り側の追い焚き循環通路に連通する連通通路に配設され浴槽の湯水の水位を水圧により検出する水位センサとを備え、上記給湯熱交換器と追い焚き熱交換器は一体化され、この一体化された給湯熱交換器と追い焚き熱交換器を加熱する共通のバーナーが設けられている一缶二水路タイプの風呂給湯器において、水位センサの配設位置から追い焚き熱交換器に連通する通路と前記追い焚き循環通路の共通部分の通路に追い焚き熱交換器から水位センサの配設位置へ逆流する湯水の流れを遮断する逆止弁を設けたことを特徴とする一缶二水路風呂給湯器。
【発明の詳細な説明】
【０００１】
【発明の属する技術分野】
本発明は、給湯熱交換器と追い焚き熱交換器が一体化され、その一体化した熱交換器を共通のバーナーで加熱する一缶二水路風呂給湯器に関するものである。
【０００２】
【従来の技術】
図１には出願人らが開発している一缶二水路風呂給湯器のシステム構成例が示されている。同図において、この一缶二水路風呂給湯器（器具）は燃焼室１を有し、この燃焼室１にはバーナー２が配設され、このバーナー２の上方には給湯熱交換器３と追い焚き熱交換器４が設けられている。これら給湯熱交換器３と追い焚き熱交換器４は一体化されて配設されている。すなわち、複数の共通のフィンプレート５に給湯側の管路を貫通装着して給湯熱交換器３と成し、同じくフィンプレート５に追い焚き側の管路を貫通装着して風呂熱交換器４と成しており、上記バーナー２は給湯熱交換器３と追い焚き熱交換器４を共に加熱する構成になっている。
【０００３】
上記バーナー２の下方側の燃焼室１は給気通路６に連通され、この給気通路６には燃焼ファン７が組み込まれており、燃焼ファン７の回転駆動により外部から給気通路６を介してバーナー２へ空気が送り込まれると共に、バーナー２の燃焼により生じた排気ガスがバーナー２の上方の燃焼室１に連通する排気通路９から外部へ排出される。
【０００４】
上記バーナー２のガス導入口にはガスノズル１９が対向配設され、このガスノズル１９には燃料ガスを導入するためのガス供給通路８が接続されており、このガス供給通路８により導かれた燃料ガスはガスノズル１９を介してバーナー２に供給される。また、上記ガス供給通路８には通路の開閉を行う電磁弁１０，１１ａ，１１ｂと、ガスの供給量を開弁量により制御する比例弁１２とが介設されている。
【０００５】
前記給湯熱交換器３の入側には給水通路１３の一端側が接続され、給湯熱交換器３の出側には給湯通路１４の一端側が接続されており、上記給水通路１３の他端側は外部配管を介して水供給源に接続され、前記給湯通路１４の他端側は外部配管を介して台所等の所望の給湯場所に導かれている。また、上記給湯熱交換器３の入側の給水通路１３と出側の給湯通路１４を短絡する常時バイパス通路１５とバイパス通路１６が設けられており、上記バイパス通路１６には通路の開閉を行う電磁弁１７が介設されている。
【０００６】
前記追い焚き熱交換器４の入側には管路１８の一端側が接続され、この管路１８の他端側は循環ポンプ２０の吐出口に接続されており、循環ポンプ２０の吸入口には戻り管２１の一端側が接続され、戻り管２１の他端側は浴槽２２に連接されている。また、追い焚き熱交換器４の出側には管路２３の一端側が接続されており、この管路２３の他端側は前記浴槽２２に連接されている。上記戻り管２１と管路１８と追い焚き熱交換器４と管路２３により追い焚き循環通路２４が構成される。
【０００７】
上記追い焚き循環通路２４の管路１８と前記給湯通路１４は湯張り通路２５により連通されており、この湯張り通路２５には通路の開閉を制御する注湯制御弁２６と、浴槽２２の水位を水圧により検出する水位センサ２８とが設けられている。
【０００８】
なお、図中に示す３０は燃焼室１内の風量を検出する風量センサであり、３１は給水通路１３に設けられて給水の流量を検出する水量センサであり、３２は給水通路１３の水の温度を検出する入水温度センサであり、３４は給湯通路１４に設けられて給湯の流量を制御する流量制御弁であり、３５は給湯通路１４に設けられて給湯が行われていることを水流により検出する給湯確認スイッチであり、３６は追い焚き循環通路２４の水流を検出する水流センサであり、３７は追い焚き循環通路２４の湯水を浴槽湯水の温度（風呂温度）として検出する風呂温度センサであり、３８は給湯熱交換器３で作り出された湯の温度を検出する出湯温度センサである。
【０００９】
この一缶二水路風呂給湯器には制御装置４０が設けられており、この制御装置４０にはリモコン４１が接続されている。このリモコン４１には給湯温度を設定するための給湯温度設定手段や、浴槽２２の風呂の温度を設定する風呂温度設定手段や、浴槽２２の湯水の水位を設定する風呂水位設定手段や、浴槽２２の湯張りから保温に至るまでの一連の風呂の自動運転を開始させるための自動運転ボタン等が設けられている。
【００１０】
上記制御装置４０は各種センサのセンサ出力信号やリモコン４１の情報を取り込み、予め与えられているシーケンスプログラムに従って、給湯運転や、風呂の自動運転等の各種の運転モードの動作を次のように制御する。
【００１１】
例えば、台所等に導かれた給湯通路の水栓が開けられ、水供給源から給水通路１３に水が流れ込んで水量センサ３１が給水通路１３の通水を検出すると、器具は給湯モードの運転を開始する。まず、燃焼ファン７の回転駆動を開始させ、電磁弁１１ａ，１１ｂの両方又はどちらか一方と電磁弁１０を開動作させガス供給通路８を通してバーナー２に燃料ガスを供給し、図示されていない点着火手段によりバーナー２の点着火を行い燃焼を開始させる。
【００１２】
そして、給湯湯温がリモコン４１に設定されている給湯設定湯温となるように比例弁１２の開弁量を制御して（バーナー２への供給ガス量を制御して）バーナー２の燃焼熱量を制御し、給湯熱交換器３の通水をバーナー２の燃焼火炎により加熱して設定温度の湯を作り出し、この湯を給湯通路１４を通して給湯場所に供給する。
【００１３】
湯の使用が終了して水栓が閉められると、給湯熱交換器３への通水が停止し、水量センサ３１が給水通路１３の通水を検知しなくなったときに、電磁弁１０を閉じてバーナー２の燃焼を停止させる。その後、予め定められたポストパージ期間（例えば、５分間）が経過したときに、燃焼ファン７の回転駆動を停止して給湯モードの運転を終了し次の給湯に備える。
【００１４】
また、リモコン４１の自動運転ボタンにより風呂の自動運転が指令されると、図３のフローチャートのステップ１０１に示すように、まず、湯張りモードの動作が開始される。例えば、注湯制御弁２６を開弁し、この注湯制御弁２６の開弁動作により水供給源から給水通路１３に水が流れ込み水量センサ３１が給水通路１３の通水を検知すると、上記給湯運転と同様にバーナー２の燃焼を開始させる。
【００１５】
このバーナー２の燃焼火炎により給湯熱交換器３で作り出された湯は給湯通路１４と湯張り通路２５を順に介して追い焚き循環通路２４に送り込まれ、追い焚き循環通路２４に流れ込んだ湯は戻り管２１を通る経路と追い焚き熱交換器４を通る経路との２経路で浴槽２２に落とし込まれる。水位センサ２８が検出する浴槽２２の水位がリモコン４１に設定されている設定水位に達したときに、注湯制御弁２６を閉じ、電磁弁１０を閉じてバーナー２の燃焼を停止させ、湯張りモードの動作を終了する。
【００１６】
この湯張りモードの動作終了後に、図３のステップ１０２に示すように、循環ポンプ２０を駆動させ、浴槽２２の湯水を追い焚き循環通路２４を通して循環させて浴槽２２の湯水を撹拌させ、ステップ１０３で、風呂温度センサ３７により浴槽２２の風呂温度を検出し、ステップ１０４で、検出した風呂温度Ｔhが風呂 の設定温度Ｔsよりも低いか否かを判断し、風呂温度Ｔhが設定温度Ｔs よりも低いと判断したときには、ステップ１１０に進み、追い焚きモードの動作を開始する。
【００１７】
例えば、循環ポンプ２０の駆動を引き続き行って、浴槽２２内の湯水を追い焚き循環通路２４を通して循環させると共に、バーナー２の燃焼を開始させ、バーナー２の燃焼火炎により、追い焚き熱交換器４で上記循環湯水を加熱して追い焚きを行う。風呂温度センサ３７により検出される風呂温度Ｔhが設定温度Ｔsに達したと前記ステップ１０４で判断したときには、バーナー２の燃焼を停止させ、追い焚きモードの動作を終了する。
【００１８】
そして、ステップ１０５に示すように、循環ポンプ２０を停止させると共に、制御装置４０に内蔵されているタイマによる時間計測をスタートさせ、保温モードの動作を開始する。
【００１９】
例えば、ステップ１０６に示すように、上記タイマの計測時間ｔcが予め定め られた設定時間ｔs（例えば、３０分）に達したか否かを判断する。上記計測時 間ｔcが設定時間ｔsに達したと判断したときには、上記ステップ１０２からステップ１０５までの動作を行い、風呂の温度Ｔhが設定温度Ｔsよりも低下している場合には追い焚きを行って風呂の温度Ｔhを設定温度Ｔsに保つことができる。
【００２０】
また、前記ステップ１０６でタイマの計測時間ｔcが設定時間ｔsに達していないと判断される期間には、ステップ１０７，１０８，１０９に示す保水モードの動作を行う。
【００２１】
まず、ステップ１０７で、水位センサ２８のセンサ出力を取り込む。上記水位センサ２８は湯張り通路２５内の湯水の水圧を浴槽２２の水圧として検出し、その浴槽水位の水圧をセンサ出力として出力するものである。前記制御装置４０には水位センサ２８が検出出力するセンサ出力（Ｐ）と、浴槽２２の水量（Ｑ）との関係を表す図４の実線Ａに示すようなＰ−Ｑデータが予め求め与えられており、前記水位センサ２８のセンサ出力を上記Ｐ−Ｑデータに参照して浴槽２２の水位を検出する。
【００２２】
そして、ステップ１０８で、上記検出された浴槽２２の水位Ｐkが設定水位Ｐsよりも低下しているか否かを判断し、浴槽２２の水位Ｐkが設定水位Ｐsよりも低下していないと判断したときには前記水位センサ２８による水位検出動作を前記ステップ１０６以降の動作により繰り返し行い、また、浴槽２２の水位Ｐkが入 浴者による湯の使用等により設定水位Ｐsよりも低下していると判断したときに は、ステップ１０９で、湯張りの動作を開始して、浴槽２２への注湯を行い、浴槽２２の水位Ｐkを設定水位Ｐsまで上昇させる。
【００２３】
上記保水モードの動作は前記タイマの計測時間ｔcが設定時間ｔsになるまで、繰り返し行われる。
【００２４】
上記保水動作を含む保温モードの動作は、予め定められている期間（例えば、風呂が沸き上がってから４時間の間）に渡り行われる。
【００２５】
前記の如く、一缶二水路風呂給湯器は、一体化された給湯熱交換器３と追い焚き熱交換器４を共通のバーナー２を用いて加熱する方式であるので、別体に設けられた給湯熱交換器と追い焚き熱交換器をそれぞれ別個のバーナーを用いて燃焼加熱する方式に比べて、装置構成の簡易化が図れ、これに伴い、装置の小型化とコストの低減を図れることになる。
【００２６】
【発明が解決しようとする課題】
ところで、一缶二水路風呂給湯器が追い焚き運転を行わず給湯のみの給湯単独運転を行うと、給湯単独運転中や給湯単独運転直後には次のような理由により正確な浴槽２２の水位を得ることができないことが出願人らの実験によりわかった。
【００２７】
上記給湯単独運転時には追い焚き熱交換器４内に湯水が滞留している状態にあり、給湯運転のためにバーナー２を燃焼させると、バーナー２の燃焼火炎によって給湯熱交換器３だけでなく追い焚き熱交換器４も加熱されるので、上記追い焚き熱交換器４内の滞留湯水は加熱される。このため、追い焚き熱交換器４内の滞留湯水の温度が上昇し沸騰に近い状態になる。
【００２８】
上記追い焚き熱交換器４内の高温加熱された湯水は対流現象により追い焚き熱交換器４の入側の管路１８と出側の管路２３の両側へ流れ出て、この追い焚き熱交換器４から流れ出た高温の湯水の熱により追い焚き循環通路２４や該追い焚き循環通路２４に連通する連通通路である湯張り通路２５内の湯水の温度が、例えば、７０〜８０℃と、かなり高温まで上昇する。
【００２９】
このように、湯張り通路２５内の湯水温度が高温に上昇することにより、水位センサ２８の予め定められている保証温度範囲（正確な水位検出を保証している水温範囲（例えば、５〜４８℃））を越えてしまうので、水位センサ２８が正確な水圧を検出することができなくなり、図５の（ｂ）に示すように、水位センサ２８のセンサ出力が、浴槽２２の水位が変化していないのにも拘らず、大きな温度依存性をもって上昇する方向にシフトしてしまう。
【００３０】
その上、上記の如く、追い焚き熱交換器４内の高温加熱された湯水が追い焚き熱交換器４の入側の管路１８と出側の管路２３の両側へ流れ出ると共に、管路１８と管路２３の両側から追い焚き熱交換器４内にぬるめの湯水が流れ込む対流が生じるので、この湯水の対流により追い焚き循環通路２４および湯張り通路２５内の湯水に不規則な振動が生じ、この湯張り通路２５内の湯水の不規則な振動により、図５の（ｂ）に示すように、水位センサ２８のセンサ出力が不規則に振動する。
【００３１】
上記のように、給湯単独運転時に追い焚き熱交換器４内の湯水が高温加熱されることにより、湯張り通路２５内の湯水の温度上昇と不規則振動が相乗的に関与して水位センサ２８のセンサ出力が不規則に変動し、この水位センサ２８のセンサ出力に基づいて浴槽２２の水位を正確に検出することは困難である。
【００３２】
上記のように、給湯単独運転に起因して浴槽２２の水位を正確に検出することが困難となり、例えば、自動運転の保水モードの運転中に給湯割り込みが行われて給湯単独運転が行われると、浴槽２２の水位よりも高めの水位が検出され、浴槽２２の水位が設定水位よりも低下しているのに保水動作が行われないというような誤動作が生じてしまう場合がある。
【００３３】
本発明は、上記課題を解決するためになされたものであり、その目的は、給湯単独運転に起因して水位センサのセンサ出力が不規則変動するのを防止することができる一缶二水路風呂給湯器を提供することにある。
【００３４】
【課題を解決するための手段】
上記目的を達成するために本発明は次のような構成をもって前記課題を解決する手段としている。すなわち、この発明は、給水通路から供給される水を加熱して給湯通路へ送出する給湯熱交換器と、浴槽湯水の追い焚き循環通路に組み込まれ追い焚き循環通路を循環する循環湯水の追い焚きを行う追い焚き熱交換器と、浴槽から追い焚き熱交換器に至るまでの循環湯水の戻り側の追い焚き循環通路又は該戻り側の追い焚き循環通路に連通する連通通路に配設され浴槽の湯水の水位を水圧により検出する水位センサとを備え、上記給湯熱交換器と追い焚き熱交換器は一体化され、この一体化された給湯熱交換器と追い焚き熱交換器を加熱する共通のバーナーが設けられている一缶二水路タイプの風呂給湯器において、水位センサの配設位置から追い焚き熱交換器に連通する通路と前記追い焚き循環通路の共通部分の通路に追い焚き熱交換器から、水位センサの配設位置へ逆流する湯水の流れを遮断する逆止弁を設けた構成をもって前記課題を解決する手段としている。
【００３５】
上記構成の発明において、水位センサの配設位置から追い焚き熱交換器に連通する通路と追い焚き循環通路の共通部分の通路に逆止弁を設けることにより、給湯単独運転に起因して高温加熱された追い焚き熱交換器の湯水が追い焚き熱交換器から水位センサの配設位置に向かう方向に逆流流出しても、その高温湯水の逆流は逆止弁により遮断されて追い焚き熱交換器の高温湯水が水位センサの配設位置に流れ込むのが阻止され、水位センサの配設位置の湯水温の高温上昇が回避される。
【００３６】
その上、上記逆止弁は給湯単独運転に起因した追い焚き熱交換器の湯水の振動が水位センサの配設位置の湯水に伝達されるのを阻止するので、追い焚き熱交換器の湯水振動が伝達されて水位センサの配設位置の湯水が不規則に変動することが回避される。
【００３７】
このことにより、給湯単独運転に起因した湯水温の上昇による水位センサ出力の上昇シフトを回避することができ、かつ、湯水の振動による水位センサ出力の振動を防止することができて、給湯単独運転に起因した水位センサ出力の不規則変動が回避される。このため、給湯単独運転に起因して不規則変動している水位センサのセンサ出力に基づいて不正確な浴槽水位が検出されることが回避され、不正確な検出浴槽水位による器具運転の誤動作が防止される。
【００３８】
【発明の実施の形態】
以下に、この発明の実施形態例を図面に基づき説明する。
【００３９】
この実施形態例において特徴的なことは、水位センサ２８の配設位置（湯張り通路２５）から追い焚き熱交換器４に連通する通路と、追い焚き循環通路２４との共通部分の通路（管路１８）に、図１の点線に示すように、逆止弁５０を設けたことである。それ以外の図１の構成は前記従来の技術の欄で述べた構成と同様であり、その共通部分の重複説明は省略する。
【００４０】
上記の如く、この実施形態例では、逆止弁５０が水位センサ２８の配設位置である湯張り通路２５から追い焚き熱交換器４に連通する通路（管路１８）に設けられており、逆止弁５０は追い焚き熱交換器４から湯張り通路２５に向かう方向の湯水の流れ（逆流）を遮断するように形成されている。
【００４１】
このように、逆止弁５０を設けることによって、次のような効果を得ることができる。すなわち、給湯単独運転により高温に加熱された追い焚き熱交換器４の湯水が対流現象により追い焚き熱交換器４から湯張り通路２５に向かう方向に追い焚き熱交換器４から管路１８に逆流流出しても、その高温湯水の逆流は逆止弁５０により遮断されて逆止弁５０よりも湯張り通路２５側の管路１８に高温湯水が流れ込むことはなく、給湯単独運転に起因した高温湯水が追い焚き熱交換器４から湯張り通路２５に流れ込むのが回避される。
【００４２】
このため、上記追い焚き熱交換器４から流出した高温の湯水の熱によって湯張り通路２５の湯水温が高温に上昇し水位センサ２８の保証温度を越えてしまうことを防止することができ、このことにより、水位センサ２８のセンサ出力が大きな温度依存性をもってシフトしてしまうという問題を回避することができる。
【００４３】
その上、給湯単独運転に起因した対流現象により追い焚き熱交換器４で発生した湯水振動が追い焚き熱交換器４から湯張り通路２５に向かう方向に伝達されても、その湯水振動の進行は逆止弁５０によって遮断され逆止弁５０よりも湯張り通路２５側の管路１８に湯水振動が伝達されるのを阻止でき、追い焚き熱交換器４の湯水振動が湯張り通路２５の湯水に伝達されるのを回避することができる。このことから、湯水の不規則振動に伴って水位センサ２８のセンサ出力が不規則に振動するという問題を防止することができる。
【００４４】
以上のことから、給湯単独運転に起因した水位センサ２８のセンサ出力の不規則変動、つまり、水位センサ２８の温度依存性と、追い焚き熱交換器４内の湯水の対流現象による湯水振動の発生との相乗関与による水位センサ２８のセンサ出力の不規則変動を防止することができる。このことにより、水位センサ２８のセンサ出力の不規則変動に起因して不正確な浴槽水位が検出されるのを防止することができ、不正確な浴槽水位に基づいて器具運転が行われ器具が誤動作するのを確実に回避することができる。
【００４５】
なお、追い焚き運転時等に循環ポンプ２０が駆動して浴槽湯水が追い焚き循環通路２４を循環するときには、浴槽湯水は循環ポンプ２０から追い焚き熱交換器４に向かう順方向に流れるし、また、湯張り運転時等に注湯制御弁２６が開弁して給湯熱交換器３で作られた湯が湯張り通路２５から追い焚き循環通路２４を介して浴槽に落とし込まれるときには、湯張り通路２５から追い焚き熱交換器４に向かう順方向に湯水が流れるので、この実施形態例のように逆止弁５０を設けても、上記順方向の湯水の流れを遮断することはない。
【００４６】
この実施形態例によれば、水位センサ２８の配設位置から追い焚き熱交換器４に連通する通路に逆止弁５０を設けることにより、給湯単独運転に起因して生じる水位センサ２８のセンサ出力の不規則変動を確実に回避することができる。このことから、給湯単独運転中や給湯単独運転直後であっても、通常の湯張りモードや保水モード等の運転時と同様の浴槽水位検出動作により正確な浴槽水位を検出することが可能であり、給湯単独運転中や給湯単独運転直後に水位センサ２８による水位検出動作により不正確な浴槽水位が検出されて器具が誤動作するというような問題を完璧に防止することができる。
【００４７】
また、上記のように、逆止弁５０を設けるだけで、給湯単独運転に起因した水位センサ２８のセンサ出力の不規則変動を確実に防止でき、給湯単独運転中や給湯単独運転直後であっても、通常の浴槽水位検出動作により正確な浴槽水位を得ることができるので、給湯単独運転中や給湯単独運転直後に正確な浴槽水位を得るために水位センサ２８のセンサ出力の補正を行う等の制御動作を行う必要がなく、このことから、制御構成の複雑化を防止することが可能である。
【００４８】
なお、本発明は上記実施形態例に限定されるものではなく、様々な実施の形態を採り得る。例えば、上記実施形態例は図１に示す器具を例にして説明したが、この発明は一缶二水路タイプの風呂給湯器で、浴槽から追い焚き熱交換器に至る戻り側の追い焚き循環通路又は該戻り側の追い焚き循環通路に連通する連通通路に浴槽の水位を水圧により検出する水位センサが設けられているものであれば、図１以外のシステム構成の一缶二水路風呂給湯器にも適用することができる。例えば、図１に示す湯張り通路２５が省略されて水位センサ２８が追い焚き循環通路２４の管路１８に配設されている一缶二水路風呂給湯器にも適用することができる。この場合にも、水位センサの配設位置から追い焚き熱交換器に連通する通路に逆止弁を設けることにより、上記実施形態例同様に、給湯単独運転に起因した水位センサ２８のセンサ出力の不規則変動を確実に防止することができる。
【００４９】
また、この発明の応用例として、逆止弁５０の代わりに、通路の開閉を行う逆流防止開閉弁を設けてもよい。この逆流防止開閉弁は給湯単独運転中のみ、あるいは、給湯単独運転中と給湯単独運転直後のみ閉弁する常時開弁状態の開閉弁と成す。このように逆流防止開閉弁を設ける場合には上記逆流防止開閉弁を開閉制御する制御部が制御装置４０に設けられる。例えば、制御装置４０は、図２に示すように、燃焼運転制御部４３と給湯単独運転監視部４４と開閉制御部４７を有して構成される。
【００５０】
上記燃焼運転制御部４３には給湯や自動運転等の各種の運転モードのシーケンスプログラムが予め定め与えられており、前記シーケンスプログラムに従って各種のセンサ出力やリモコン４１の情報等を取り込んで、各種の運転モードの動作を行う。
【００５１】
前記給湯単独運転監視部４４は、上記燃焼運転制御部４３の運転動作の情報を取り込み、この情報に基づき、注湯制御弁２６が閉状態であり、かつ、水流センサ３６が追い焚き循環通路２４内の通水を検知しておらず、かつ、給湯確認スイッチ３５が給湯通路１４内の通水を検知しているときには、給湯単独運転が行われていると検知し、それ以外のときには給湯単独運転が行われていないと検知して給湯単独運転が行われているか否かを監視する。
【００５２】
開閉制御部４７は、給湯単独運転監視部４４の監視情報を取り込み、この監視情報により器具が給湯単独運転を開始したと検知したときに、給湯単独運転により追い焚き熱交換器４が高温に加熱されて追い焚き循環通路２４と湯張り通路２５の湯水温を上昇させ、水位センサ２８の保証温度を越えて水位センサ２８のセンサ出力がシフトすると共に、対流現象による追い焚き熱交換器４の高温湯水の振動により水位センサ２８の配設位置の湯水が振動して水位センサ２８が不規則に変動する虞があると判断し、追い焚き熱交換器４の高温湯水の悪影響が水位センサ２８に及ぶのを防止する必要があると判断して逆流防止開閉弁４８を閉弁させ、追い焚き熱交換器４の高温湯水の悪影響が水位センサ２８に及ぶのを逆流防止開閉弁４８により阻止する。
【００５３】
その後、給湯単独運転が停止して予め定めた期間、つまり、給湯単独運転後に追い焚き熱交換器４の湯水が冷却されると共に、追い焚き熱交換器４の湯水の対流現象が抑制されて追い焚き熱交換器４の湯水の振動が収まり、かつ、追い焚き循環通路２４と湯張り通路２５の湯水が冷却して、逆流防止開閉弁４８を開弁しても、水位センサ２８のセンサ出力が不規則変動しないと判断できる期間（例えば、給湯単独運転後に風呂温度センサ３７が検出する検出湯水温が予め定めた温度に低下するまでの期間や、給湯単独運転後に予め定めた時間が経過するまでの期間）が終了したときに、逆流防止開閉弁４８を開弁させる。
【００５４】
このように、給湯単独運転に起因した追い焚き熱交換器４の高温加熱により水位センサ２８のセンサ出力が不規則に変動すると考えられる期間に開閉弁を閉弁して追い焚き熱交換器４から水位センサ２８の配設位置への湯水の流れを遮断することにより、上記実施形態例同様の優れた効果を奏することができる。
【００５５】
【発明の効果】
この発明によれば、水位センサの配設位置から追い焚き熱交換器に連通する通路と追い焚き循環通路の共通部分の通路に追い焚き熱交換器から水位センサの配設位置へ逆流する湯水の流れを遮断する逆止弁を設けたので、給湯単独運転に起因して追い焚き熱交換器の滞留湯水が高温に加熱されて追い焚き熱交換器から水位センサの配設位置に向かう方向に逆流流出しても、その高温湯水の逆流は上記逆止弁により遮断され、追い焚き熱交換器から流出した高温湯水が水位センサの配設位置に流れ込むのを防止することができる。
【００５６】
このことにより、給湯単独運転に起因した追い焚き熱交換器の高温湯水の熱により水位センサの配設位置の湯水温が水位センサの保証温度を越えて高温に上昇することが確実に防止され、水位センサのセンサ出力が温度依存性をもって上昇シフトするのを回避することができる。
【００５７】
その上、給湯単独運転に起因した追い焚き熱交換器の湯水の振動が水位センサの配設位置に伝達されるのを上記逆止弁は阻止するので、上記湯水の振動が水位センサの配設位置の湯水に伝達され、水位センサのセンサ出力が不規則に振動するのを回避することができる。
【００５８】
以上のことから、給湯単独運転に起因して水位センサのセンサ出力が不規則に変動するのを完璧に防止することが可能である。このことにより、不規則変動している水位センサ出力に基づき不正確な浴槽水位が検出され、不正確な浴槽水位に基づいて器具運転が行われて器具が誤動作するという問題を回避することができる。
【００５９】
また、上記の如く、逆止弁を設けるだけで、給湯単独運転中や給湯単独運転直後等であっても、通常の浴槽水位検出動作と同様にして正確な浴槽水位を検出することができるので、給湯単独運転中や給湯単独運転直後等に正確な浴槽水位を検出するために水位センサのセンサ出力を補正する等の制御動作を行う必要がなく、このことにより、制御構成の簡略化を図ることができる。
【図面の簡単な説明】
【図１】本発明に係る一缶二水路風呂給湯器の一実施形態例を示す説明図である。
【図２】本発明の応用例を示すブロック構成図である。
【図３】自動運転動作の一例を示すフローチャートである。
【図４】水位センサのセンサ出力と浴槽水量の関係を示すＰ−Ｑデータの一例を示すグラフである。
【図５】従来の課題を示す説明図である。
【符号の説明】
２  バーナー
３  給湯熱交換器
４  追い焚き熱交換器
１３  給水通路
１４  給湯通路
１８  管路
２４  追い焚き循環通路
２５  湯張り通路
２８  水位センサ
５０  逆止弁
【図１】
0003776998.tif 000002
【図２】
0003776998.tif 000003
【図３】
0003776998.tif 000004
【図４】
0003776998.tif 000005
【図５】
0003776998.tif 000006